(57)【要約】【課題】使用時の違和感と痛みの発生を防止しつつも、足を支持固定することができるインソールの提供。【解決手段】足裏全体を支持する第１エリア部材と、その下面に配置された当該第１エリア部材より硬い第２エリア部材と、当該第２エリア部材より硬い第３エリア部材との３エリア体を有し、かつ少なくとも土踏まず領域における支持面積が第１エリア部材、第２エリア部材、第３エリア部材の順で狭小となっていることを特徴とするインソール。【選択図】図１
2019010285.tif 000002
【特許請求の範囲】
【請求項１】
足裏全体を支持する第１エリア部材と、その下面に配置された当該第１エリア部材より硬い第２エリア部材と、当該第２エリア部材より硬い第３エリア部材との３エリア体を有し、かつ少なくとも土踏まず領域における支持面積が第１エリア部材、第２エリア部材、第３エリア部材の順で狭小となっていることを特徴とするインソール。
【請求項２】
第１エリア部材より第２エリア部材の外形サイズが小さく、かつ第２エリア部材より第３エリア部材の外形サイズが小さいことを特徴とする請求項１記載のインソール。
【請求項３】
第３エリア部材又は第３エリア部材と第２エリア部材が、土踏まず部の踵骨の載距突起に対応する領域に存在しないことを特徴とする請求項１又は２記載のインソール。
【請求項４】
第１エリア部材の下面に、第２エリア部材次いで第３エリア部材が配置されていることを特徴とする請求項１〜３のいずれか１項記載のインソール。
【請求項５】
第１エリア部材の下面に、第３エリア部材次いで第２エリア部材が配置されていることを特徴とする請求項１〜３のいずれか１項記載のインソール。
【請求項６】
第１エリア部材、第２エリア部材、第３エリア部材が、それぞれ異なる材料からなる成形品であることを特徴とする請求項１〜５のいずれか１項記載のインソール。
【請求項７】
第１エリア部材、第２エリア部材、第３エリア部材が、同一の材料からなる成形品で、部分的に異なる厚さを有することを特徴とする請求項１〜５のいずれか１項記載のインソール。
【発明の詳細な説明】
【技術分野】
【０００１】
本発明は、インソールに関する。
【背景技術】
【０００２】
インソール（靴の中敷）は、足の疲労の軽減、変形の予防、怪我の予防、歩行の補助、吸湿、防臭といった役割を担う。
インソールには、足裏全体に対応した形状の一層構造のものの他、硬さ等の異なる素材を重ねた多層構造のものが知られている。例えば、特許文献１では、下層である硬い弾性材料の第一層に、該第一層を覆い、第一層よりも上層である柔らかい弾性材料で央部は凸形状に構成されている第二層等を積層して成型してなる多層構造を有するインソールが報告されている。また、特許文献２では、柔軟部と、柔軟部の下部で踵部から中足部に存在する補強部とからなり、踵部から中足部の際部分は柔軟部のみから構成されるインソールが報告されている。
【０００３】
しかしながら、斯かる従来のインソールは、何れも足裏が接する層とその下層との硬度差が大きいため、使用時に違和感を感じ、痛みが生じ易い、と云う問題があった。他方、これを避けるために下層の硬度を下げると、違和感は減るものの、足の支持固定力が弱まるという問題があった。
【先行技術文献】
【特許文献】
【０００４】
【特許文献１】特開２０１４−２８３２３号公報
【特許文献２】特開２００３−３８２０７号公報
【発明の概要】
【発明が解決しようとする課題】
【０００５】
本発明は、上記の如き従来の問題に鑑みてなされたもので、使用時の違和感と痛みの発生を防止しつつも、足を支持固定することができるインソールを提供することを課題としている。
【課題を解決するための手段】
【０００６】
本発明者は、上記の課題を解決すべく種々研究を重ねた結果、硬さが異なり、かつ土踏まず領域における支持面積が異なるエリア部材を重ねた少なくとも３エリア体とすれば、極めて良い結果が得られることを見い出し、本発明を完成した。
【０００７】
すなわち、本発明は、足裏全体を支持する第１エリア部材と、その下面に配置された当該第１エリア部材より硬い第２エリア部材と、当該第２エリア部材より硬い第３エリア部材との３エリア体を有し、かつ少なくとも土踏まず領域における支持面積が第１エリア部材、第２エリア部材、第３エリア部材の順で狭小となっていることを特徴とするインソールにより上記課題を解決したものである。
【発明の効果】
【０００８】
本発明のインソールを用いれば、硬さと土踏まず領域における支持面積が異なるエリア部材を３つ重ねたため、使用時に違和感と痛みを感じることなく足の支持固定が可能である。
【図面の簡単な説明】
【０００９】
【図１】本発明の実施の形態に係るインソールの底面図。
【図２】図１のＡ−Ａ線切断拡大端面図。
【図３】本発明の他の実施の形態に係るインソールの底面図。
【図４】図３のＢ−Ｂ線切断拡大端面図。
【発明を実施するための形態】
【００１０】
以下本発明の実施の形態を図面と共に説明する。
【００１１】
本発明の実施の形態を示す図１において、１０は右足用のインソール本体で、１１は第１エリア部材、１２は第２エリア部材、１３は第３エリア部材である。
インソール本体１０は、図２に示すように、足裏全体を支持する第１エリア部材１１の下面に当該第１エリア部材より硬い第２エリア部材１２が接合され、当該第２エリア部材１２の下面に当該第２エリア部材より硬い第３エリア部材１３が接合された３エリア体から成っていると共に、土踏まず領域１０ａにおける支持面積は、第１エリア部材１１、第２エリア部材１２、第３エリア部材１３の順で狭小となっている。なお、当該各エリア部材は、接着剤等の適宜手段により接合されている。
足裏全体を支持する第１エリア部材１１と、第３エリア部材１３との間に、当該第１エリア部材より硬く、かつ当該第３エリア部材１３よりも柔らかい第２エリア部材が接合されていることにより、使用時の違和感と痛みの発生をより確実に回避することができる。
【００１２】
また、当該インソール本体１０における各エリア部材の外形サイズは、第１エリア部材１１、第２エリア部材１２、第３エリア部材１３の順で小さく構成され、土踏まず領域１０ａ以外においても支持面積が順に狭小となっている。斯様に、硬さと共に外形サイズを第１エリア部材、第２エリア部材、第３エリア部材の順で小さくすることにより、足裏全体としてクッション性を高めつつ、足の支持固定力を高めることができる。
図１において、第２エリア部材１２と第３エリア部材１３は、踵骨から土踏まず領域までを支持する外形サイズとなっているが、例えば、踵骨から第１〜第５中足骨の遠位端に至る領域までを支持するサイズであっても構わない。
尚、左足用のインソールの場合は、図１に示すインソール本体１０に対して線対称形に形成される。
【００１３】
第１エリア部材１１の材料は特に限定されないが、弾性を有するものがクッション性に優れ足の疲労を軽減する上で望ましい。第１エリア部材１１には、例えば、ゴム、シリコン樹脂、ウレタン樹脂、エチレン・酢酸ビニル共重合樹脂の１種又は２種以上を適宜組み合わせて用いることができる。
第１エリア部材１１のＪＩＳ  Ｋ  ６２５３−２００６に準拠して測定される硬度は、Ｅ２０〜６０の範囲であることが望ましい。
【００１４】
第２エリア部材１２には、第１エリア部材１１より硬い材料が用いられる。例えば、ウレタン樹脂、エチレン・酢酸ビニル共重合樹脂の１種又は２種以上を適宜組み合わせて用いることができる。
第２エリア部材１２のＪＩＳ  Ｋ  ６２５３−２００６に準拠して測定される硬度は、Ｅ５０〜９０の範囲であることが望ましい。
第１エリア部材１１と第２エリア部材１２の硬度差は、１０〜４０の範囲であることが、使用時の違和感を減らす上で望ましい。
第１エリア部材と第２エリア部材の硬度は、例えば、「ＴＥＣＬＯＣＫ  ＧＳ−７２１Ｇ  Ｔｙｐｅ  Ｅ（株式会社テクロック社製）」によって測定することができる。
【００１５】
第３エリア部材１３には、第２エリア部材１２より硬い材料が用いられる。例えば、ナイロン樹脂の１種又は２種以上を適宜組み合わせて用いることができる。
第３エリア部材１３のＪＩＳ  Ｋ  ６２５３  Ａに準拠して測定される硬度は、Ａ６０〜９５の範囲であることが望ましい。
第３エリア部材の硬度は、例えば、「ＴＥＣＬＯＣＫ  ＧＳ−７１９Ｇ  Ｔｙｐｅ  Ａ（株式会社テクロック社製）」によって測定することができる。
【００１６】
第１エリア部材１１、第２エリア部材１２、第３エリア部材１３の硬度は、上記のとおり所望の材料を用いて変化させることができるが、全エリアが同一の材料で、適宜厚みを部分的に変えることで変化させてもよい。例えば、部位によって厚みを変えて成形した樹脂製インソール本体１０としてもよい。
【００１７】
一般的に、インソールは、足裏を包み、足にフィットするように中足骨に対応する領域から踵骨に対応する領域にかけて土踏まずのアーチに沿う立ち上がり部が形成される。図２に示すように、本発明のインソール本体１０においても立ち上がり部１０ｂが形成されているが、当該立ち上がり部１０ｂにおける土踏まず部の踵骨の載距突起に対応する領域１２ａに、第３エリア部材１３が存在しない構成（図２）又は第３エリア部材１３と第２エリア部材１２が存在しない構成（図示省略）とすることが望ましい。これにより、第３エリア部材１３より柔らかい第２エリア部材１２と第１エリア部材１１のみ又は第１エリア部材１１のみが内甲側で当接する面積が広くなるので、使用時の違和感と痛みの発生をより防止することができる。
【００１８】
図３は、本発明インソールの他の実施の形態を示すもので、基本的な構成は図１に示す実施の形態と同一であるが、図３に示す実施の形態においては、図４に示すように、足裏全体を支持する第１エリア部材１１の下面に第３エリア部材１３が接合され、当該第３エリア部材１３の下面に第２エリア部材１２が接合された３エリア体から成っている。硬さが異なり、かつ土踏まず領域における支持面積が異なる部材の３エリア体から成ることで、使用時の違和感と痛みの発生を防止しつつ、足のサポート性に優れる。
【００１９】
図１〜図４では、３エリア体のインソール本体１０を示しているが、インソール本体１０は３エリア体以上であればよく、硬度が高いほど少なくとも土踏まず領域における支持面積が小さい部材から成れば、４エリア体や５エリア体とすることもできる。
【符号の説明】
【００２０】
１０：インソール本体
１０ａ：土踏まず領域
１０ｂ：立ち上がり部
１１：第１エリア部材
１２：第２エリア部材
１２ａ：踵骨の載距突起に対応する領域
１３：第３エリア部材
【図１】
2019010285.tif 000003
【図２】
2019010285.tif 000004
【図３】
2019010285.tif 000005
【図４】
2019010285.tif 000006